(57)【特許請求の範囲】
【請求項１】
複数のファイルを同一画面上で編集・表示可能なエディタプログラムであって、
編集しているファイルに関連付けられた少なくとも１以上の画像ファイルをエディタ画面上の所定の位置に背景として重ねて表示させ、
前記ファイルの編集中に入力編集領域において、区切り表示を挿入する操作が行われた場合、
前記編集中のファイルと画像ファイルとを自動保存させて、続けて新たなファイルを自動生成させることを特徴とするエディタプログラム。
【請求項２】
前記編集した前記ファイルを時系列に沿って複数連続してエディタ画面上に表示させるとともに、時系列に沿って複数連続した前記ファイルのどの部分でも編集することができることを特徴とする請求項１に記載のエディタプログラム。
【請求項３】
前記エディタ画面上に前記ファイルが時系列に沿って複数連続して表示されている状態で、編集するファイルを１つ選択した場合、前記選択したファイルに関連付けられた少なくとも１以上の画像ファイルを前記エディタ画面上の所定の位置に配置して背景として重ねて表示させることを特徴とする請求項１または２に記載のエディタプログラム。
【請求項４】
前記ファイルは編集した日時情報を保持し、前記画像ファイルは撮像した日時情報を保持し、
前記エディタ画面上に時系列に沿って複数連続して表示されている中の１つのファイルを選択した場合、前記選択したファイルの日時情報に基づいて、該ファイルの日時情報の近傍の日時情報を保持している画像ファイルを予め設定した枚数分だけ前記エディタ画面上の所定の位置に配置して背景として重ねて表示させることを特徴とする請求項１に記載のエディタプログラム。
【請求項５】
前記ファイルは編集時の位置情報を取得して保持し、前記画像ファイルは撮像時の位置情報を取得して保持し、
前記エディタ画面上に時系列に沿って複数連続して表示されている中の１つのファイルを選択した場合、前記選択したファイルの位置情報に基づいて、該ファイルの位置情報の近傍の位置情報を保持している画像ファイルを予め設定した枚数分だけ前記エディタ画面上の所定の位置に配置して背景として重ねて表示させることを特徴とする請求項１に記載のエディタプログラム。
【請求項６】
前記ファイル中にあるキーワードを選択した場合、前記キーワードに基づいて、該キーワードの位置情報の近傍の位置情報を保持している画像ファイルを予め設定した枚数分だけ前記エディタ画面上の所定の位置に配置して背景として重ねて表示させることを特徴とする請求項５に記載のエディタプログラム。
【請求項７】
請求項１から６のいずれか１項に記載のエディタプログラムを搭載したことを特徴とする情報処理装置。
【請求項８】
複数のファイルを同一画面上で編集・表示可能なエディタプログラムのエディタ画面表示方法であって、
編集している前記ファイルに関連付けられた少なくとも１以上の画像ファイルをエディタ画面上の所定の位置に背景として重ねて表示させる工程と、
前記ファイルの編集中に入力編集領域において、区切り表示を挿入する操作工程と、
前記入力編集中のファイルと画像ファイルとを自動保存させて、続けて新たなファイルを自動生成させる工程と、
を有することを特徴とするエディタ画面表示方法。
【請求項９】
前記編集した前記ファイルを時系列に沿って複数連続してエディタ画面上に表示させる工程と、
時系列に沿って複数連続した前記ファイルのどの部分でも編集する工程と、
を有することを特徴とする請求項８に記載のエディタ画面表示方法。
【請求項１０】
前記エディタ画面上に前記ファイルが時系列に沿って複数連続して表示されている状態で、編集するファイルを１つ選択する工程と、
前記選択したファイルに関連付けられた少なくとも１以上の画像ファイルを前記エディタ画面上の所定の位置に配置して背景として重ねて表示させる工程と、
を有することを特徴とする請求項８に記載のエディタ画面表示方法。
【請求項１１】
前記ファイルが編集した日時情報を保持する工程と、
前記画像ファイルが撮像した日時情報を保持する工程と、
前記エディタ画面上に時系列に沿って複数連続して表示されている中の１つのファイルを選択する工程と、
前記選択したファイルの日時情報に基づいて、該ファイルの日時情報の近傍の日時情報を保持している画像ファイルを予め設定した枚数分だけ前記エディタ画面上の所定の位置に配置して背景として重ねて表示させる工程と、
を有することを特徴とする請求項８に記載のエディタ画面表示方法。
【請求項１２】
前記ファイルが編集時の位置情報を取得して保持する工程と、
前記画像ファイルが撮像時の位置情報を取得して保持する工程と、
前記エディタ画面上に時系列に沿って複数連続して表示されている中の１つのファイルを選択する工程と、
前記選択したファイルの位置情報に基づいて、該ファイルの位置情報の近傍の位置情報を保持している画像ファイルを予め設定した枚数分だけ前記エディタ画面上の所定の位置に配置して背景として重ねて表示させる工程と、
を有することを特徴とする請求項８に記載のエディタ画面表示方法。
【請求項１３】
前記ファイル中にあるキーワードを選択する工程と、
前記キーワードに基づいて、該キーワードの位置情報の近傍の位置情報を保持している画像ファイルを予め設定した枚数分だけ前記エディタ画面上の所定の位置に配置して背景として重ねて表示させる工程と、
を有することを特徴とする請求項１２に記載のエディタ画面表示方法。
【発明の詳細な説明】
【技術分野】
【０００１】
本発明は、エディタプログラム及びエディタ画面上に表示されているファイルに添付されている写真の表示方法に関する。
【背景技術】
【０００２】
ワープロソフトなどで個人の日記など文書ファイルを作成する時には、ユーザが、まずソフトを起動して文書ファイルの新規作成を選定して作成することになる。また作成済みの文書ファイルを編集する場合は、文書ファイルを開いて文書を編集し、編集終了後に文書ファイルを保存する操作を行うことになる。
【０００３】
また過去に作成した複数の文書ファイルを見比べながら編集作業を行おうとした場合には、複数の文書ファイル（複数のウインドウ）を１つずつ開いて画面に表示して目的の文書ファイルの編集を行わなければならない。
【０００４】
旅行日記などの文書ファイルを作成した場合、ワープロソフトでは文書の体裁を整えたり、旅先での写真などを貼り付けたりして文書（文字情報）を作成・編集していくことができるが、ユーザが意図的に日付などのファイル名を付けて保存しなければ、作成したファイルを時系列にならべることはできなかった。また複数の文書を見比べながら編集作業を行うためには情報処理装置の表示画面に開いた文書ファイルを並べて表示しなければならず、編集作業を行うユーザにとって操作が煩雑であった。
【０００５】
また昨今、ライフログという形で、ユーザが１日の出来事をパーソナルコンピュータに格納しているファイルやネットワーク上に、逐一書き込んだりすることが一般的に行われているようになってきている。この出来事を書き込まれたものがライフログと呼ばれている。この場合、逐一書き込んだ内容が時系列に並んでいると、後からユーザが振り返るのに便利である。一方、これら逐一書き込んだ内容を、それぞれブログやＳＮＳに投稿したり、ミニブログに投稿したりする場合に、ファイル単位で分割されていると投稿先のサイトへ送信する際に利便性が非常に高い一方、どのファイルに何が書いてあるかをユーザが判断するのは困難である。
【０００６】
特許文献１では、日記の作成を日付により管理し、１回の文字数はそれ程多くないが毎日連続して作成し、日記データを日付順などでソートでき、日記データを印刷する際には日付毎に罫線状の境界を示す境界線パターンを印刷することができるという文書作成装置が開示されている。
【先行技術文献】
【特許文献】
【０００７】
【特許文献１】特開平３−１５４１５７号公報
【発明の概要】
【発明が解決しようとする課題】
【０００８】
特許文献１に記載されている方法は、日記データを印刷する際に、日付毎に罫線状の境界線パターンを印刷できるものであり、表示画面上で日記データを時系列でならべて日付毎に境界線パターンを表示するというものではなく、表示画面上で日記データを編集することはできないという問題があった。
【０００９】
一方、個人のブログや旅行日記など文字情報（テキスト）だけのファイルを作成、編集、保存するためのソフトウエアにテキストエディタがある。テキストエディタは文字情報だけを扱うために画像などデータを挿入したりすることができないが、ワープロソフトと比較して起動や編集作業が軽快であるという利点がある。
【００１０】
そこで文字情報を入力したエディタ画面上で作成・編集している記事に添付された写真をエディタ画面上に表示できれば、例えば添付写真を参照しながら旅行日記やブログ下書きなどを作成・編集することが可能となる。さらにエディタ画面上に記事が時系列で表示されている状態で、例えば編集しようとした記事にスポットを当てた（選定した）時に、その記事に関連付けられた添付写真がエディタ画面上の所定の位置に表示できれば複数の記事と写真を見比べながら編集作業を行うことが可能となる。
【００１１】
そこで本発明は、上記問題点に鑑みてなされたもので、旅行日記など文字情報を入力したエディタ画面上で入力編集しているファイルに関連付けられた添付写真をエディタ画面上の所定の位置に表示し、時系列で表示されているファイルにスポットを当てた時に、そのファイルに関連付けられた全ての添付写真をエディタ画面上の所定の位置に表示することが可能なエディタプログラム、エディタ画面表示方法及びエディタプログラムを搭載した情報処理装置を提供することを目的とする。
【課題を解決するための手段】
【００１２】
上記課題を解決するため、本発明に係るエディタプログラムは、複数のファイルを同一画面上で編集・表示可能なエディタプログラムであって、前記複数のファイルのうちの１つを選択した状態のときに、前記選択されたファイルの作成日時を示す情報に基づいて、前記作成日時の近傍の日時を示す情報を備える少なくとも１以上の画像ファイルを前記同一画面上の所定位置に表示させることを特徴とする。
【００１３】
本発明に係るエディタプログラムは、複数のファイルを同一画面上で編集・表示可能なエディタプログラムであって、前記複数のファイルのうちの１つを選択した状態のときに、前記選択されたファイルの関連付け情報に基づいて、前記選択されたファイルとともに、前記選択されたファイルに関連付けられた少なくとも１以上の画像ファイルを前記同一画面上の所定位置に表示させることを特徴とする。
【００１４】
本発明に係るエディタプログラムは、複数のファイルを同一画面上で編集・表示可能なエディタプログラムであって、編集しているファイルに関連付けられた少なくとも１以上の画像ファイルをエディタ画面上の所定の位置に背景として重ねて表示させ、前記ファイルの編集中に入力編集領域において、区切り表示を挿入する操作が行われた場合、前記編集中のファイルと画像ファイルとを自動保存させて、続けて新たなファイルを自動生成させることを特徴とする。
【００１５】
本発明に係る情報処理装置は、上記に記載のエディタプログラムを搭載したことを特徴とする。
【００１６】
本発明に係るエディタ画面表示方法は、複数のファイルを同一画面上で編集・表示可能なエディタプログラムのエディタ画面表示方法であって、前記複数のファイルのうちの１つを選択した状態のときに、前記選択されたファイルの作成日時を示す情報に基づいて、前記作成日時の近傍の日時を示す情報を備える少なくとも１以上の画像ファイルを前記同一画面上の所定位置に表示させる工程を有することを特徴とする。
【００１７】
本発明に係るエディタ画面表示方法は、複数のファイルを同一画面上で編集・表示可能なエディタプログラムのエディタ画面表示方法であって、前記複数のファイルのうちの１つを選択した状態のときに、前記選択されたファイルの関連付け情報に基づいて、前記選択されたファイルとともに、前記選択されたファイルに関連付けられた少なくとも１以上の画像ファイルを前記同一画面上の所定位置に表示させる工程を有することを特徴とする。
【００１８】
本発明に係るエディタ画面表示方法は、複数のファイルを同一画面上で編集・表示可能なエディタプログラムのエディタ画面表示方法であって、編集している前記ファイルに関連付けられた少なくとも１以上の画像ファイルをエディタ画面上の所定の位置に背景として重ねて表示させる工程と、前記ファイルの編集中に入力編集領域において、区切り表示を挿入する操作工程と、前記入力編集中のファイルと画像ファイルとを自動保存させて、続けて新たなファイルを自動生成させる工程と、を有することを特徴とする。
【発明の効果】
【００１９】
本発明により、旅行日記など文字情報を入力したエディタ画面上で入力編集しているファイルに関連付けられた添付写真をエディタ画面上の所定の位置に表示し、時系列で表示されているファイルにスポットを当てた時に、そのファイルに関連付けられた全ての添付写真をエディタ画面上の所定の位置に表示することが可能なエディタプログラム、エディタ画面表示方法及びエディタプログラムを搭載した情報処理装置を提供することが可能になる。
【図面の簡単な説明】
【００２０】
【図１】本発明の実施形態に係るエディタプログラムを実行させる携帯情報端末の外観図である。
【図２】本発明の実施形態に係る携帯情報端末の構成とエディタプログラムの動作を説明する図である。
【図３】本実施形態のキーボード操作及びタッチ操作の一例である。
【図４】本実施形態のエディタ画面の構成と操作例と添付写真表示例を説明する図である。
【図５】本実施形態のエディタ画面の構成と操作例と添付写真表示例を説明する図である。
【図６】本実施形態のエディタ画面の構成と操作例と添付写真表示例を説明する図である。
【図７】本実施形態の編集ショートカットキーの構成例と検索バーの構成例を示す図である。
【図８】本実施形態のタグ選択バーの構成例を示す図である。
【図９】本実施形態の各種サービスバーの構成例を示す図である。
【図１０】本実施形態のマルチ検索バーの構成例を示す図である。
【図１１】本実施形態のエディタのガイド画面の構成と操作例を説明する図である。
【発明を実施するための形態】
【００２１】
本発明の好適な実施の形態について以下に図面を参照して詳細に説明する。なお以下では、エディタプログラムをエディタとも記述するが、エディタとはエディタプログラムを含むものとする。
【００２２】
＜エディタの概要＞
最初に、本実施形態のエディタの概要について説明する。
【００２３】
本実施形態のエディタは、文字情報（テキスト）ファイルを作成、編集、保存するためのエディタである。エディタとして文字情報の入力、削除、コピー、貼り付け、検索、置換、整形などの機能を備えているものである。
【００２４】
本実施形態のエディタは、旅行日記など文字情報である記事を入力する時に、あたかも紙のノートに書き込む感覚のように入力することが可能となっている。また記事を入力している時に区切り表示（区切りバー）を入力する操作だけで、現在編集中のファイルと添付写真とを自動保存して、続けて新しいファイルを自動作成するようになっている。
【００２５】
そして１つの記事は１つのファイルであり、入力したファイルは時系列に沿って連続して繋がって画面上に表示されるようになっている。そして画面をスクロールすることで、どの部分のファイルでもファイルを開く操作をすることなく編集することが可能となっている。
【００２６】
ファイルには写真データを関連付けて添付することが可能であり、ファイルを作成・編集している時には、関連付けられた添付写真がエディタ画面上の所定の位置に表示されるようになっている。またエディタ画面上に記事が時系列で表示されている状態で、例えば編集しようとしたファイルにスポット（フォーカス）を当てた（選定した）時に、そのファイルに関連付けられた添付写真をエディタ画面上の所定の位置に配置して表示するようになっている。
【００２７】
またファイルを編集中に任意の位置で区切り表示を入力することで、２つのファイルに分割することが可能となっている。この時、ファイルに関連付けられた写真データも２つのファイルに分割される。また１つ前のファイルとファイルとの間の区切り表示を削除することで、１つ前のファイルとファイルとを統合して１つのファイルにすることが可能となっている。この時、ファイルに関連付けられた写真データも１つのファイルに統合される。またファイルをドラッグ操作して離れた違うファイルの上にドロップ操作で２つのファイルを統合して１つのファイルにすることも可能となっている。この時、ファイルに関連付けられた写真データも１つのファイルに統合される。
【００２８】
なお、区切り表示は、上述した区切りバーを挿入する形態以外にも、例えば、隣り合う記事の色を変えることで区切りが挿入されていることを表したり、記事のタイトルまたは日付の情報などが挿入される箇所に、区切りが挿入されていることを表したりと、様々な形態をとることが可能である。
【００２９】
＜携帯情報端末の構成例とエディタの基本動作例＞
図１は、本発明の実施形態のエディタを実行させる携帯情報端末の外観図である。図１（ａ）は携帯情報端末を開いた図であり、図１（ｂ）は斜視図である。図２は、本実施形態の携帯情報端末の構成とエディタの基本動作を説明する図である。図３は、本実施形態のキーボード操作及びタッチ操作の一例である。
【００３０】
まず、図１〜図３を参照しながら、本実施形態の携帯情報端末１の構成例について説明する。なお携帯情報端末を例として説明するが、これに限定されることはなく情報処理装置にも適用可能である。
【００３１】
図１に示す本実施形態の携帯情報端末１は、キーボード等の入力部２とプログラム制御により動作し、携帯情報端末１全体を制御する情報処理部（ＣＰＵ）３と情報を記憶する記憶部４と画像を表示する画面表示部５と筐体１０の外側にカメラ６とアクセスランプ７と筐体を開くためのリリースボタン８と電源端子９とを備えて構成されている。また図示しないが位置情報を取得するＧＰＳやインターネットに接続する通信手段や時刻を計時する時計などを有している。なお各部の詳細な構成及び動作は公知の情報処理装置と同様であるので省略する。
【００３２】
入力部２のキーボードは、情報処理端末１の基本操作がすべてできるようになっている。また機能の実行をキー操作に割り当てられるようになっている。例えばカメラのシャッターボタンなどである。図３は、機能の実行をキー操作に割り当てた一例を示している。また、携帯情報端末１は、画面表示部５の画面をタッチ操作することで機能を実行することが可能となっている。図３には、タッチ操作の一例を示している。
【００３３】
携帯情報端末１は、入力部２と画面表示部５とが折り畳み可能な携帯情報端末であり、筐体１０を開いたらすぐに画面上で文字情報の入力や記事の編集が可能となっている。つまり携帯電話のように電源が入っていて、筐体１０を開いたらすぐに使用が可能な構成となっている。
【００３４】
次に、図２を参照しながら、本実施形態の携帯情報端末１に搭載されているエディタの基本動作例を説明する。
【００３５】
本実施形態のエディタは、エディタ画面に作成編集した記事ファイルと添付写真を時系列に沿って連続して繋げて表示するファイル表示手段５と、記事を入力している時に区切り表示が入力されると、現在編集中のファイルと貼付写真とを自動保存して、続けて新たな記事ファイルを自動作成し、編集したファイルと添付写真を時系列に沿って連続して繋げて画面上に表示させるファイル制御手段３と、文字情報である記事の入力や携帯情報端末１の機能を実行させるための操作手段２とを備えて構成されている。
【００３６】
ファイル表示手段５が記事及び記事ファイルを表示し、キーボード入力可能な操作手段２が入力受付をして、入力された文字を表示手段がエディタ画面に表示する。そして、区切り表示を挿入する操作が行われたときに、ファイル制御手段３が新規ファイルを生成するようになっている。
【００３７】
本実施形態のエディタは、情報処理端末１の筐体を開くと（ステップＳ１）エディタ画面上に編集中または編集済みの文字情報である記事と記事ファイルに関連づけられた添付写真がαブレンドで記事の背景に表示される（ステップＳ２）。そしてキーボード入力（ステップＳ３）により背景の透過した写真を参照しながら記事ファイルの編集操作や文字情報の入力操作（ステップＳ４）をすぐに行うことができるようになっている。キーボード操作により記事を編集している時に区切り表示を入力する（ステップＳ５）ことで、現在編集中の記事ファイルと関連づけられた添付写真とを自動保存して、続けて新たな記事ファイルを自動作成するようになっている（ステップＳ６）。背景に表示された新たな記事ファイルの編集操作や文字情報の入力操作（ステップＳ７）を行い、記事の編集操作の途中で情報処理端末１の筐体を閉じる（ステップＳ８）と、それまで編集していた記事ファイルと関連づけられた添付写真とを自動保存するようになっている（ステップＳ９）。
【００３８】
αブレンド（アルファブレンド）とは、２つの画像を係数（α値）により合成することである。透過したい部分を定義した画像を用意し、それをもとに、透過したい画像の透過を行うものである。また透過したい画像の任意の一色を透過色とすることもある。
【００３９】
以上が本実施形態の携帯情報端末１のエディタの基本動作の流れである。
【００４０】
＜エディタ画面の構成例と操作例と添付写真表示例＞
図４〜図６は、本実施形態のエディタ画面の構成と操作例と添付写真表示例を説明する図である。図７は、本実施形態の編集ショートカットキーの構成例と検索バーの構成例を示す図である。図８は、タグ選択バーの構成例を示す図である。
【００４１】
図４〜図８を参照しながら、本実施形態のエディタ画面の構成例と操作例添付写真表示例について説明する。
【００４２】
図４に示すように、エディタ画面下側には、メニューが表示され、使用可能な機能、設定をメニューから実行することが可能である。このメニューはキーボード操作に対応しているものである。メニューにフォーカスされた場合、アクション機能が自動表示されるようになっている。なおメニューの構成は、図７に限定されることはなく、種々の設定が可能となっている。
【００４３】
またメニュー表示がされていない場合は、キー操作又はショートカットキー操作により表示することができる。図７（ａ）には、記事を編集するための編集ショートカットキーの構成例、及び図７（ｂ）には、検索操作のための検索バーの構成例を示している。なお検索バーの構成は、図７に限定されることはなく、種々の設定が可能となっている。
【００４４】
エディタ画面１０上には、編集済み（入力済み）もしくはこれから編集する記事１１，１２，１３が時系列に沿って連続表示されている。１つの記事ファイルは、区切り表示である区切りバーと本文とで構成され、例えば記事ファイル１２は、区切り表示である区切りバー２０に、タイトル２１（今日のランチ）とタグ付与２２（ランチ）と年月日時間２３（２０１０／８／２６（木）１３：３０）とが表示され、続けて入力された本文が表示されるようになっている。
【００４５】
例えば１つの記事１１は、１つのファイルであり、図４に示したように入力した記事１１，１２，１３は時系列に沿って連続して繋がって画面上に表示されるようになっている。そして画面をスクロールすることで、どの部分の記事でもファイルを開く操作をすることなく編集することが可能となっている。
【００４６】
図４に示すエディタ画面１０の記事本文２４の右端には、記事に関連付けられた写真データがαブレンドにより透過画像として表示されるようになっている。例えば記事１１には添付写真２５が表示され、記事１２には添付写真２６、２７とが表示され、記事１３には添付写真２８、２９とが表示されるようになっている。記事１１は、本文２４が短い文章のため写真２５を全て表示するためのスペースがないので、途中までの画像が表示されている。記事１２は、写真を二枚表示するためのスペースがないので、１枚目の写真２６は全てを表示されるが、２枚目の写真２７は途中までの画像が表示されている。記事１３は、写真２８、２９の２枚とも表示するスペースがあるので、全ての表示となっている。このように記事に関連付けられた添付写真を記事本文２４中に背景として本文と重ねて表示することにより、例えば添付写真を参照しながら旅行日記を作成・編集することが可能となる。また旅先で写真を撮影してから、その写真を参照しながら記事を作成・編集することも可能である。なお表示させる写真の数や大きさは任意に設定できるようになっている。また背景に合わせて記事本文２４の色を自動で調整するようになっている。
【００４７】
図５は、図４に示すエディタ画面１０の記事１３にスポット（フォーカス）を当てた場合のエディタ画面１０を示している。記事１３にスポットを当てた場合、例えば記事１３には８枚の写真２８〜３５が添付されていたとする。図４ではその内の２枚（写真２８，２９）だけが表示されており、記事１３にスポットを当てることにより、図５に示すように添付されている全ての写真２８〜３５を記事本文２４中に背景として本文と重ねて表示するようになっている。このように写真を背景として本文と重ねて表示することにより記事に関連付けられた添付写真を限られたスペースでエディタ画面１０の中に配置して表示することが可能となる。なお表示させる写真の数や大きさは任意に設定できるようになっている。
【００４８】
図６は、図４に示すエディタ画面１０の記事１１にスポット（フォーカス）を当てた場合のエディタ画面１０を示している。記事１１にスポットを当てた場合、例えば記事１１には４枚の写真２８〜３５が添付されていたとする。図４では記事１１は本文２４が短い文章のためその内の１枚の写真２５を全て表示するためのスペースがないので、途中までの画像が表示されており、記事１１にスポットを当てることにより、図５に示すように添付されている全ての写真２５〜２８を記事本文２４中に背景として本文と重ねて配置して表示するようになっている。このように短い記事でも写真を背景として本文と重ねて表示することにより記事に関連付けられた添付写真を最低限のスペースでエディタ画面１０の中に配置して表示することが可能となる。なお表示させる写真の数や大きさは任意に設定できるようになっている。
【００４９】
図４において、記事ファイル１３を編集中に任意の位置で区切り表示（区切りバー）を入力することで、記事ファイル１３を２つの記事に分割して２つのファイルにすることが可能となっている。このとき分割した記事は時系列に並ぶため、画面下側（時系列の新しい）に表示される記事が新たな記事ファイルとして自動作成され、分割した２つの記事は別々のファイルとして自動保存されることになる。そして添付されていた写真データも予め定められた関連付けに対応して、分割した２つの記事のどちらかに添付写真として再度関連付けられて保存されることになる。分割した場合に、添付写真をどちらの記事ファイルに関連付けるかについては、任意に設定が可能となっており、途中で設定を変えることもできるようになっている。
【００５０】
区切り表示を入力した場合、タイトル２１にはテキスト入力可能であり、何も入力しないこともできる。またタグ付与２２は未設定であっても問題はないが、タグ選択バーより１つ選択することができる。タグ選択バーの構成例を図８に示している。タグの編集（名前変更／削除／新規作成）は、タグ設定画面（図示せず）にて行うことができるようになっている。また予め定めた、又は本文入力時に指定した関連付けがなされる。なおタグ選択バーの構成は、図８に限定されることはなく、種々の設定が可能となっている。
【００５１】
年月日時間は本文２４を書き始めた段階で自動的に入力して自動保存される。従って、入力及び編集している本文２４は、常時自動保存されることになっているので入力及び編集後に意図的に保存操作する必要はない。
【００５２】
なお、タイトル、タグがなく、テキストを削除した場合には記事を自動保存しないようになっている。
【００５３】
また例えば、記事ファイル１１と記事ファイル１２との間の区切り表示を削除することで、１つ前の記事ファイル１１と記事ファイル１２とを統合して１つのファイルにすることが可能となっている。また記事ファイル１３をドラッグ操作して離れた違う記事ファイル１１の上にドロップ操作で２つの記事ファイル１１，１３を統合して１つのファイルにすることも可能となっている。この時、それぞれの記事に関連付けられた写真データも１つのファイルに統合される。
【００５４】
このとき統合された記事ファイルは、時系列の古いファイルに統合され自動保存されることになる。なお時系列の新しい統合した方の記事のタグ情報は自動消去されることになる。
【００５５】
本実施形態のエディタは、文字情報であるテキスト（記事）と添付写真などのタグを管理するようになっている。さらに本実施形態の携帯情報端末１は、ＧＰＳとカメラ６とを有しているので記事を入力した位置情報、写真を撮影した位置情報であるジオタグ情報も管理するようになっている。
【００５６】
例えばエディタ画面に時系列にならんでいる記事にスポットを当てた時に、その記事のジオタグ情報から、記事に近い位置情報を持っている写真を設定した枚数分、図５や図６に示したように表示することが可能となっている。さらに記事本文２４中に、例えば「京都」というキーワードがあった場合、そのキーワードを指定することで、キーワードに近い位置情報を持っている写真を設定した枚数分、図５や図６に示したように表示することが可能となっている。また記事ファイルは時刻情報も管理しているため、エディタ画面に時系列にならんでいる記事にスポットを当てた時に、その記事の時刻情報から、記事の前後の時間に近い時刻情報を持っている添付写真を設定した枚数分、図５や図６に示したように表示することが可能となっている。
【００５７】
（各種サービスの操作例）
本実施形態のエディタは、編集した記事と添付写真を選んでワンタッチ操作により、例えばブログ、ＳＮＳ（Ｓｏｃｉａｌ  Ｎｅｔｗｏｒｋｉｎｇ  Ｓｅｒｖｉｃｅ）などへ投稿、ネットワークストレージサービスなどへアップロード、メール送信することが可能であり、記事を編集中に前述のようなアウトプットを実行した場合には記事ファイルを自動保存した後に自動的に区切り表示を入力し、新たな記事ファイルを作成するようになっている。
【００５８】
図９は、本実施形態の各種サービスバーの構成例を示す図である。
【００５９】
図９を参照しながら、本実施形態の各種サービスへの投稿、アップロード、メール送信等の操作例について説明する。
【００６０】
各種サービスを図９に示すようなサービスバーに登録設定することが可能である。ブログの投稿先設定は予め主要ブログの投稿方式、エンドポイントを盛り込んだ設定プレートが用意されている。ＳＮＳ、ブログへ投稿する場合、投稿する記事をエディタ画面上で選択し、図９に示すようなサービスバーから投稿先の「ブログ」ボタンを押下して投稿先を１つ選択すると直ちに投稿されるようになっている。また、投稿時にブログ確認をチェックすることで、投稿と同時に該当のブログをブラウザで開くようになっている。
【００６１】
対応ブログのアプリケーションとしては一般的なＸＭＬ−ＲＰＣ、Ａｔｏｍ−ＡＰＩなどである。また投稿履歴は投稿時に投稿先、ログ情報をデータとして保存管理するようになっている。
【００６２】
ネットワークストレージサービスの場合は、サービスバーから「ネットワークストレージサービス」を押下するとエディタ画面上で選択したデータを直ちにアップロードするようになっている。
【００６３】
メールの場合は、サービスバーから「メール」を押下するとメール送受信ソフト（外部アプリ）を起動して、送信（下書き）メールとしてエディタ画面上で選択した記事データを引き渡すようになっている。例えば、タイトルとメッセージをメール送受信ソフトの新規作成画面に引き渡すようになっている。
【００６４】
（マルチリファレンスの操作例）
本実施形態のエディタは、ＷＥＢ検索と連携するマルチリファレンスとなっている。またパソコンなどからデータを読み込むことが可能である。
【００６５】
図１０は、本実施形態のマルチ検索バーの構成例を示す図である。
【００６６】
図１０を参照しながら、本実施形態のマルチリファレンスの操作例について説明する。
【００６７】
指定した文字列をＷＥＢ検索する場合は、メニュー、又はキーボードのショートカットでマルチリファレンスを起動する。そして、エディタ画面上で選択した単語をキーワードとして自動入力されるようになっている。次に検索サイトを選択することにより検索が実行されるようになっている。検索が実行されるとブラウザを起動して、該当キーワード検索結果をエディタ画面に表示する。また例えば「京都」というキーワードにより検索を実行した場合、「京都」というキーワードで検索されたＷＥＢ上の写真を設定した枚数分、図５や図６に示したように背景に表示することが可能となっている。検索サイトは公知のものが利用できるようになっている。
【００６８】
以上、本実施形態のエディタでは上記で説明してきた操作がエディタ画面１０上にて行うことが可能である。
【００６９】
＜エディタのガイド画面の構成例と操作例＞
図１１は、本実施形態のエディタのガイド画面の構成と操作例を説明する図である。
【００７０】
図１１を参照しながら、本実施形態のエディタのガイド画面の構成例と操作例について説明する。
【００７１】
ガイド画面４０では、エディタ画面上で編集した記事ファイルの管理（編集／削除／タイトル／タグ／詳細情報）と絞り込み、記事検索を行うことが可能となっている。ガイド画面４０上で記事の絞り込みと検索を行う場合は、タグ情報、年月日、ブログ投稿有無、画像添付有無、記事検索など該当キーワードが存在する記事を記事リスト４１として表示する。ガイド画面４０は、エディタ画面１０上でメニュー又はショートカットにより呼び出して表示することができる。
【００７２】
図１１に示すように、画面左側へ記事リスト４１を表示し、画面右側へ選択記事プレビュー４２を表示するようになっている。このとき記事本文４３は横幅を成形表示するようになっている。また、記事ファイルに関連付けられた写真などが添付されている場合は、図１１に示すように予め定められた位置へ表示するようになっている。また画面右側の下に表示されるメニュー４４は常に表示するようになっている。なおタグメニュー４４の構成は、図１１に限定されることはなく、種々の設定が可能となっている。
【００７３】
メニュー４４の構成は、編集、タグ、タイトル、削除、プロパティであるが、これに限定されることはなく、種々の設定が可能となっている。編集は、記事の絞り込まれた状態を維持しながらエディット（編集）画面へと戻るようになっている。タグは、タグ設定画面へ進む。タイトルは、タイトル入力に進む。削除は、該当記事を１つ削除する。詳細情報は、例えば情報タグなど記事の詳細情報を表示する。
【００７４】
＜本実施形態における作用効果＞
本実施形態のエディタは、文字情報である記事を入力する時に、あたかも紙のノートに書き込む感覚のように入力することが可能であり、記事を入力編集している時には、関連付けられた添付写真がエディタ画面上の所定の位置に表示され、記事を入力している時に区切り表示（区切りバー）を挿入する操作だけで、現在編集中のファイルと添付写真とを自動保存して、続けて新しいファイルを自動作成し、入力したファイルは時系列に沿って連続して繋がって画面上に表示される。
本実施形態のエディタは、エディタ画面上にファイルが時系列で表示されている状態で、編集するファイルにスポット（フォーカス）を当てた（選定した）時に、そのファイルに関連付けられた添付写真をエディタ画面上の所定の位置に配置して背景として表示する。
本実施形態のエディタは、ファイルが時系列に沿って連続して繋がって画面上に表示されるため、画面をスクロールすることで、どの部分のファイルでもファイルを開く操作をすることなく編集することが可能である。
また１つのファイルを編集中に任意の位置で区切り表示（区切りバー）を挿入することで、２つのファイルに分割することが可能であり、ファイルに関連付けられた添付写真データも２つのファイルに分割される。
また１つ前のファイルとファイルとの間の区切り表示を削除することで、１つ前のファイルとファイルとを統合して１つのファイルにすることが可能であり、ファイルに関連付けられた写真データも１つのファイルに統合される。さらにファイルをドラッグ操作して離れた位置の違うファイル事の上にドロップ操作で２つのファイルを統合して１つのファイルにすることが可能であり、ファイルに関連付けられた写真データも１つのファイルに統合される。
本実施形態のエディタは、背景として表示される添付写真を参照しながら記事を作成・編集することが可能であり、区切り表示（区切りバー）を挿入するという簡易な操作だけで編集中の記事ファイルと添付写真の自動保存と新たな記事ファイルの自動作成ができる。
本実施形態の折り畳み可能な携帯情報端末は、筐体を開いたらすぐに画面上で文字情報の入力や記事ファイルの編集が可能である。
【００７５】
また、先に述べてきたエディタを搭載した携帯情報端末及び情報処理装置によっても、本発明は実効的に実施される。
【００７６】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００７７】
すなわち、上記した実施形態のエディタは、プログラムの命令によりコンピュータで実行される処理、手段、機能によって動作する。当該プログラムは、コンピュータの各構成要素に指令を送り、先に述べたような所定の処理や機能を実行する。
【００７８】
このように、上記実施形態のエディタにおける各処理や手段は、プログラムとコンピュータとが協働した具体的手段によって実現されるものである。
【００７９】
そして、上記実施形態の機能を実現するソフトウエアのプログラムコードを記録したコンピュータ読み取り可能な記録媒体、すなわち記憶メディアを介して、携帯情報端末や情報処理装置のコンピュータ（ＣＰＵやＭＰＵ）が記憶メディアに格納されたプログラムコードを読み出し実行することによっても、本発明の目的は達成される。
【００８０】
また、プログラムは、記録メディアを介さず、通信回線を通じて直接にコンピュータにロードし実行することもでき、これによっても同様に本発明の目的は達成される。
【００８１】
この場合、記憶メディアから読み出された又は通信回線を通じてロードし実行されたプログラムコード自体が前述の実施形態の機能を実現することになる。そして、そのプログラムコードを記憶した記憶メディアは本発明を構成する。
【００８２】
また、プログラムコードを供給するための記憶メディアとしては、例えば、フロッピー（登録商標）ディスク、ハードディスク、光ディスク、光磁気ディスク、ＣＤ−ＲＯＭ、ＣＤ−Ｒ、不揮発性のメモリカード、ＲＯＭ、磁気テープ等を用いることができる。
【００８３】
本発明に係るエディタプログラムの前記所定の位置とは、前記同一画面上の前記選択されたファイルの文字データが表示されていない領域に背景として重ねる位置であることを特徴とする。
【００８４】
本発明に係るエディタプログラムは、前記編集した前記ファイルを時系列に沿って複数連続してエディタ画面上に表示させるとともに、時系列に沿って複数連続した前記ファイルのどの部分でも編集することができることを特徴とする。
【００８５】
また本発明に係るエディタプログラムは、前記エディタ画面上に前記ファイルが時系列に沿って複数連続して表示されている状態で、編集するファイルを１つ選択した場合、前記選択したファイルに関連付けられた少なくとも１以上の画像ファイルを前記エディタ画面上の所定の位置に配置して背景として重ねて表示させることを特徴とする。
【００８６】
また本発明に係るエディタプログラムは、前記ファイルは編集した日時情報を保持し、前記画像ファイルは撮像した日時情報を保持し、前記エディタ画面上に時系列に沿って複数連続して表示されている中の１つのファイルを選択した場合、前記選択したファイルの日時情報に基づいて、該ファイルの日時情報の近傍の日時情報を保持している画像ファイルを予め設定した枚数分だけ前記エディタ画面上の所定の位置に配置して背景として重ねて表示させることを特徴とする。
【００８７】
また本発明に係るエディタプログラムは、前記ファイルは編集時の位置情報を取得して保持し、前記画像ファイルは撮像時の位置情報を取得して保持し、前記エディタ画面上に時系列に沿って複数連続して表示されている中の１つのファイルを選択した場合、前記選択したファイルの位置情報に基づいて、該ファイルの位置情報の近傍の位置情報を保持している画像ファイルを予め設定した枚数分だけ前記エディタ画面上の所定の位置に配置して背景として重ねて表示させることを特徴とする。
【００８８】
また本発明に係るエディタプログラムは、前記ファイル中にあるキーワードを選択した場合、前記キーワードに基づいて、該キーワードの位置情報の近傍の位置情報を保持している画像ファイルを予め設定した枚数分だけ前記エディタ画面上の所定の位置に配置して背景として重ねて表示させることを特徴とする。
【００８９】
また本発明に係るエディタプログラムは、前記画像ファイルを前記エディタ画面上の所定の位置に配置して背景として重ねて表示させる場合、前記背景の色に基づいて前記ファイルを前記背景と重ねた時に見やすい色に変更させることを特徴とする。
【００９０】
また本発明に係るエディタ画面表示方法は、前記所定の位置とは、前記同一画面上の前記選択されたファイルの文字データが表示されていない領域に背景として重ねる位置であることを特徴とする。
【００９１】
また本発明に係るエディタ画面表示方法は、前記編集した前記ファイルを時系列に沿って複数連続してエディタ画面上に表示させる工程と、時系列に沿って複数連続した前記ファイルのどの部分でも編集する工程と、を有することを特徴とする。
【００９２】
また本発明に係るエディタ画面表示方法は、前記エディタ画面上に前記ファイルが時系列に沿って複数連続して表示されている状態で、編集するファイルを１つ選択する工程と、前記選択したファイルに関連付けられた少なくとも１以上の画像ファイルを前記エディタ画面上の所定の位置に配置して背景として重ねて表示させる工程と、を有することを特徴とする。
【００９３】
また本発明に係るエディタ画面表示方法は、前記ファイルが編集した日時情報を保持する工程と、前記画像ファイルが撮像した日時情報を保持する工程と、前記エディタ画面上に時系列に沿って複数連続して表示されている中の１つのファイルを選択する工程と、前記選択したファイルの日時情報に基づいて、該ファイルの日時情報の近傍の日時情報を保持している画像ファイルを予め設定した枚数分だけ前記エディタ画面上の所定の位置に配置して背景として重ねて表示させる工程と、を有することを特徴とする。
【００９４】
また本発明に係るエディタ画面表示方法は、前記ファイルが編集時の位置情報を取得して保持する工程と、前記画像ファイルが撮像時の位置情報を取得して保持する工程と、前記エディタ画面上に時系列に沿って複数連続して表示されている中の１つのファイルを選択する工程と、前記選択したファイルの位置情報に基づいて、該ファイルの位置情報の近傍の位置情報を保持している画像ファイルを予め設定した枚数分だけ前記エディタ画面上の所定の位置に配置して背景として重ねて表示させる工程と、を有することを特徴とする。
【００９５】
また本発明に係るエディタ画面表示方法は、前記ファイル中にあるキーワードを選択する工程と、前記キーワードに基づいて、該キーワードの位置情報の近傍の位置情報を保持している画像ファイルを予め設定した枚数分だけ前記エディタ画面上の所定の位置に配置して背景として重ねて表示させる工程と、を有することを特徴とする。
【００９６】
また本発明に係るエディタ画面表示方法は、前記画像ファイルを前記エディタ画面上の所定の位置に配置して背景として重ねて表示させる工程と、前記背景の色に基づいて前記ファイルを前記背景と重ねた時に見やすい色に変更させる工程と、を有することを特徴とする。
【産業上の利用可能性】
【００９７】
本発明によれば、エディタ、エディタプログラム、携帯端末、携帯情報端末、情報処理装置などの用途に適用できる。
【符号の説明】
【００９８】
１    携帯情報端末
２    入力部
３    情報処理部
４    記憶部
５    画面表示部
１０    エディタ画面
１１、１２、１３    記事ファイル
２０    区切りバー（区切り表示）
２１    タイトル
２２    タグ付与
２３    年月日時間
２４    本文
２５、２６、２７、２８、２９    添付写真
３０、３１、３２、３３、３４、３５    添付写真
４０    ガイド画面
４１    記事リスト
４２    選択記事プレビュー
４３    記事本文
４４    メニュー
【図１】
0005601125.tif 000002
【図２】
0005601125.tif 000003
【図３】
0005601125.tif 000004
【図４】
0005601125.tif 000005
【図５】
0005601125.tif 000006
【図６】
0005601125.tif 000007
【図７】
0005601125.tif 000008
【図８】
0005601125.tif 000009
【図９】
0005601125.tif 000010
【図１０】
0005601125.tif 000011
【図１１】
0005601125.tif 000012